(57)【特許請求の範囲】
【請求項１】
複数台のエレベータ号機をそれぞれ有する複数のエレベータバンクと、各エレベータバンク内のエレベータ号機の運行を管理する複数の群管理制御装置と、各群管理制御装置に接続されて行き先階を予約操作する複数の行き先階予約装置と、前記複数の群管理制御装置を互いに接続する通信網と、を備えたエレベータ装置において、
前記エレベータバンク毎に設けられた前記群管理制御装置は、前記行き先階予約装置から予約操作された行き先階が自己のエレベータバンクか他のエレベータバンクに該当するかを判定する自他バンク判定処理部と、自己のエレベータバンク内のエレベータ号機の割り当て登録処理を行う割り当て登録部と、他の群管理制御装置から引き継いで自己のエレベータバンク内のエレベータ号機の割り当て選定を行う引き継ぎ割り当て登録部と、を備え、乗り場に設けられた行き先階予約装置での前記予約操作による行き先階が自他バンク判定処理部で自己のエレベータバンクと判定された場合には、前記割り当て登録部で割り当てられたエレベータ号機を前記予約操作した行き先階予約装置に表示するように制御すると共に、前記予約操作での行き先階が自他バンク判定処理部で他のエレベータバンクと判定された場合には、他の群管理制御装置で自他バンク判定され且つ割り当て登録された前記他のエレベータバンク内のエレベータ号機を、前記予約操作した行き先階予約装置に表示するように制御し、
さらに前記群管理制御装置は、前記行き先階予約装置に備えられた前記車椅子ボタンの操作を検出し、かつ前記行き先階予約装置での前記予約操作による行き先階が前記自他バンク判定処理部で他のエレベータバンクがサービスする行き先階と判定されたとき、前記割り当て登録処理を行わず、前記車椅子ボタンの操作が行われた前記行き先階予約装置に備えられた表示部に、他のバンクへの移動を促す情報を表示することを特徴とするエレベータ装置。
【請求項２】
前記引き継ぎ割り当て登録部は、割り当てられた前記エレベータ号機が到着するまでの到着予測時間が、予約操作された前記行き先階予約装置から割り当てられた異なるエレベータバンクのエレベータ号機の出入り口まで乗客が移動するのにかかる移動予測時間よりも長いエレベータ号機を割り当てることを特徴とする請求項１に記載のエレベータ装置。
【請求項３】
前記群管理制御装置に、前記自他バンク判定処理部による判定結果が自己のエレベータバンクに該当するときエレベータ号機の割り当て登録処理を行う割り当て登録部と、前記自他バンク判定処理部により割り当て登録処理が中止されたとき入力操作された前記行き先階予約装置に他のバンクへの移動を促す情報を表示する表示処理部とを設けたことを特徴とする請求項１に記載のエレベータ装置。
【請求項４】
前記群管理制御装置は、前記表示部に前記他のバンクへの移動を促す情報を表示させる際、前記行き先階予約装置に備えられたマップ部に、乗客の現在位置と、乗客の目的階に停止するエレベータ号機が属するエレベータバンクの位置と、当該エレベータバンクに備えられた行き先階予約装置を、判別できるように強調して表示することを特徴とする請求項１乃至請求項３のいずれか１項に記載のエレベータ装置。
【発明の詳細な説明】
【技術分野】
【０００１】
本発明は、複数のエレベータバンクを備えたエレベータ装置に関する。
【背景技術】
【０００２】
複数階床にサービスする複数台のエレベータの運行を管理するエレベータ群管理制御装置と、乗り場に設けられてエレベータの行き先階を予約する行き先階予約装置とを備えたエレベータ装置（例えば、特許文献１参照）や、エレベータバンクが複数存在する構成のエレベータ装置が知られている。複数のエレベータバンクを有する構成では、行き先階予約装置は、当該エレベータバンクがサービスする行き先階が指定操作されたときは乗りかごを割り当てするが、当該エレベータバンク以外がサービスする行き先階が指定されたときはエラーメッセージが表示され、不適切な行き先階登録であること通知していた（例えば、特許文献２参照）。
【先行技術文献】
【特許文献】
【０００３】
【特許文献１】特開２０１０−１５００１３号公報
【特許文献２】特開２０１１−３２０５３号公報
【発明の概要】
【発明が解決しようとする課題】
【０００４】
しかしながら、特許文献１，２を含むエレベータ装置は、エレベータバンクが複数存在する場合において、当該エレベータバンクのサービス階以外が行き先階予約装置で指定操作されたとき、エラーメッセージが出るだけであったため、当該エレベータバンク以外がサービスする停止階を登録したい乗客は自分の行き先階をサービスするエレベータバンクを探しだし、行き先階を登録しなければならないという不便があった。
【０００５】
本発明の目的は、サービスする行き先階が異なる複数のエレベータバンクが存在する場合においても、利用しようとしているエレベータバンクを容易に見分けられるようにして、乗客の利便性を向上したエレベータ装置を提供することにある。
【課題を解決するための手段】
【０００６】
本発明は上記目的を達成するために、複数台のエレベータ号機を有するエレベータバンクと、前記エレベータバンク内のエレベータ号機の運行を管理する群管理制御装置と、前記群管理制御装置に接続されて行き先階を予約操作する行き先階予約装置と、を備えたエレベータ装置において、前記エレベータバンクは複数個で構成され、前記エレベータバンク毎に設けられた前記群管理制御装置は、互いに通信網で接続され、前記群管理制御装置は、前記行き先階予約装置から予約操作された行き先階が自己のエレベータバンクか他のエレベータバンクに該当するかを判定する自他バンク判定処理部と、自己のエレベータバンク内のエレベータ号機の割り当て登録処理を行う割り当て登録部と、他の群管理制御装置から引き継いで自己のエレベータバンク内のエレベータ号機の割り当て選定を行う引き継ぎ割り当て登録部と、を備え、さらに前記群管理制御装置は、乗り場に設けられた行き先階予約装置での前記予約操作による行き先階が自他バンク判定処理部で自己のエレベータバンクと判定された場合、前記割り当て登録部で割り当てられたエレベータ号機を前記予約操作した行き先階予約装置に表示するように制御するとともに、前記予約操作での行き先階が自他バンク判定処理部で他のエレベータバンクと判定された場合、他の群管理制御装置で自他バンク判定され且つ割り当て登録された前記他のエレベータバンク内のエレベータ号機を、前記予約操作した行き先階予約装置に表示するように制御することを特徴とする。
【０００７】
このような構成によれば、乗客が行き先階に対応するエレベータバンクまで行かなくても、近くの先階予約装置から行き先階予約操作を行うことができ、行き先階の操作を行った群管理制御装置から他の群管理制御装置を介して行き先階予約を行うことができ、従来のようにエラーメッセージが表示されて乗客が戸惑う状況はなくなり、利便性を向上することができる。
【０００８】
また本発明は、上記の構成に加えて、前記登録部は、割り当てられた前記エレベータ号機が到着するまでの到着予測時間が、予約操作された前記行き先階予約装置から割り当てられた異なるエレベータバンクのエレベータ号機の出入り口まで乗客が移動するのにかかる移動予測時間よりも長いエレベータ号機を割り当てすることを特徴とする。
【０００９】
このような構成によれば、他のエレベータバンクへ移動しなければならない場合でも、登録したエレベータ号機以外のものを利用する事態を防止し、その移動予測時間を考慮して都合の良いエレベータ号機に割り当て登録することができる。
【００１０】
さらに本発明は、前記自他バンク判定処理部による判定結果が自己のエレベータバンクに該当するときエレベータ号機の割り当て登録処理を行う割り当て登録部と、前記自他バンク判定処理部により割り当て登録処理が中止されたとき入力操作された前記行き先階予約装置に他のバンクへの移動を促す情報を表示する表示処理部とを設けたことを特徴とする。
【００１１】
このような構成によれば、どのエレベータバンクの行き先階予約装置から行き先階の予約操作を行っても、行き先階予約装置から予約した行き先階がそのエレベータバンクでない場合、割り当て処理を行わずにサービスを行っているエレベータバンクへ移動するよう促す関連情報を行き先階予約装置に表示することができ、従来のようにエラ−メッセージを表示するのみではないので、これを見て乗客は所定のエレベータバンクへと移動することができる。しかも、各群管理制御装置間を通信ケーブルなどによって接続する必要がないので、構成を簡略化することができる。
【００１２】
さらに本発明は、上記の構成に加えて、前記行き先階予約装置に車椅子ボタンを設け、前記自他バンク判定処理部は、他のエレベータバンクがサービスする行き先階と判定すると共に、前記車椅子ボタンの操作を検出したとき、割り当て登録処理をせず、入力操作された前記行き先階予約装置に他のバンクへの移動を促す情報を表示させる表示処理部を設けたことを特徴とする。
【００１３】
このような構成によれば、行き先階予約装置の表示部を見た車椅子利用者は、行き先階までサービスするエレベータバンクまたはその行き先階予約装置まで移動することになるが、車椅子利用者の場合、定常状態での移動でも予測が難しいので、割り当て処理を中止することによってトラブル発生を未然に防ぎながら、適切な位置へと誘導することができる。
【発明の効果】
【００１４】
本発明によるエレベータ装置は、乗客が行き先階に対応するエレベータバンクまで行かなくても、近くの先階予約装置から行き先階予約操作を行うことができ、行き先階の操作を行った群管理制御装置から他の群管理制御装置を介して行き先階予約を行うことができ、従来のようにエラーメッセージが表示されて乗客が戸惑う状況はなくなり、利便性を向上することができる。
【図面の簡単な説明】
【００１５】
【図１】本発明の一実施の形態によるエレベータ装置を適用したエレベータホールの平面図である。
【図２】図１に示したエレベータ装置のブロック構成図である。
【図３】図１に示した行き先階予約装置を示す正面図である。
【図４】図１に示した群管理制御装置の概略構成を示すブロック構成図である。
【図５】図３に示した行き先階予約装置の別の割り当て状況を示す正面図である。
【図６】本発明の他の実施の形態によるエレベータ装置における行き先階予約装置を示す正面図である。
【図７】図２に示した群管理制御装置での行き先階予約処理を示すフローチャートである。
【図８】図７から引き継ぐ他の群管理制御装置での行き先階予約処理を示すフローチャートである。
【図９】図８と同様の他の群管理制御装置における行き先階予約処理を示すフローチャートである。
【図１０】本発明のさらに他の実施の形態による群管理制御装置における行き先階予約処理を示すフローチャートである。
【図１１】本発明のさらに他の実施の形態によるエレベータ装置を適用したエレベータホールの平面図である。
【発明を実施するための形態】
【００１６】
以下、本発明の実施の形態を図面に基づいて説明する。
【００１７】
図１は、本発明の一実施の形態によるエレベータ装置におけるエレベータホールの水平断面図を示しており、エレベータホールは４つのエレベータバンクＡ〜Ｄで構成されている。例えば、エレベータバンクＡは、３台のエレベータ号機１〜３が出入り口方向を同じにして隣接され、他の３台のエレベータ号機４〜６は出入り口方向を同じくすると共にエレベータ号機１〜３と出入り口方向が対面するようにして隣接されている。エレベータバンクＡのエレベータ乗り場には、通常構成の乗り場ボタンの変わりに３台の隣接するエレベータ出入り口の中間部に行き先階予約装置７Ａ，８Ａがそれぞれ配置され、また他の３台の隣接するエレベータ出入り口の中間部にも行き先階予約装置９Ａ，１０Ａがそれぞれ配置されている。他のエレベータバンクＢ〜Ｄも同様の構成であり、エレベータバンクＡ以外のエレベータバンクＢ〜Ｄに言及する場合、同一符号にそれぞれのエレベータバンクＢ〜Ｄに対応するアルファベットを付けて同等物として説明する。
【００１８】
図２は、各階の行き先階予約装置と各バンクの群管理制御装置の関係を示すシステム構成図である。ここで、エレベータバンクＡは１〜１０階、エレベータバンクＢは１階と１０〜２０階、エレベータバンクＣは１階と２０階〜３０階、エレベータバンクＤは１階と３０〜４０階に停止しながらサービスするものとする。各階床には、１台の行き先階予約装置だけが設置されているかのように図示しているが、図１の場合と同様に４台の行き先階予約装置７Ａ〜１０Ａがそれぞれ配置されている。エレベータバンクＡの各階に配置した行き先階予約装置７Ａ〜１０Ａは全てエレベータバンクＡの群管理制御装置１１Ａに接続され、エレベータバンクＢの各階に配置した行き先階予約装置７Ｂ〜１０Ｂは全てエレベータバンクＡの群管理制御装置１１Ｂに接続され、エレベータバンクＣの各階に配置した行き先階予約装置７Ｃ〜１０Ｃは全てエレベータバンクＡの群管理制御装置１１Ｃに接続され、エレベータバンクＤの各階に配置した行き先階予約装置７Ｄ〜１０Ｄは全てエレベータバンクＡの群管理制御装置１１Ｄに接続されており、各群管理制御装置１１Ａ〜１１Ｄは通信ケーブル１２によって接続されている。
【００１９】
ここでは、４つのエレベータバンクＡ〜Ｄの全ての群管理制御装置１１Ａ〜１１Ｄを通信ケーブル１２によって接続し、どの行き先階予約装置からでも行き先階を予約操作したとき、操作した行き先階予約装置が属する群管理制御装置と、行き先階を管理する群管理制御装置との間で通信可能であり、協同して行き先階の予約を行う。例えば、行き先階予約装置７Ａから行き先階１３階を予約操作したとき、操作した行き先階予約装置７Ａが属する群管理制御装置１１Ａと、行き先階１３階を管理する群管理制御装置１１Ｂとの間で通信可能であり、協同して行き先階の予約を行う。他の構成ではこの群管理制御装置１１Ａ〜１１Ｄを結ぶ通信ケーブル１２に代えて、無線通信等で接続しても良い。
【００２０】
図３は、行き先階予約装置を示す正面図で、各エレベータバンクＡ〜Ｄとも各階床に配置した各行き先階予約装置は同一構成であるから、ここでは行き先階予約装置７Ａを代表して説明する。行き先階予約装置７Ａの同画面には行き先階入力部１３と、現在位置１４や割り当てエレベータの位置１５などを表示するマップ部１６と、割り当てエレベータなどを表示する表示部１７と、身体障害者が利用するときに押す車椅子ボタン１８とを有している。
【００２１】
図４は、群管理制御装置の概略構成を示すブロック構成図で、各群管理制御装置１１Ａ〜１１Ｄは同一構成であるから、ここでは群管理制御装置１１Ａを代表して説明する。群管理制御装置１１Ａは、自己のエレベータバンクＡ内でのエレベータ号機の割り当て登録を行う割り当て登録部２５と、他の群管理制御装置から引き継いで自己のエレベータバンク内のエレベータ号機の割り当てまたは割り当て候補の選定を行う引き継ぎ割り当て登録部２６と、行き先階予約装置７Ａ〜１０Ａから行き先階の予約操作が行われたときその行き先階が自己のエレベータバンクか他のエレベータバンクでサービスしている階床かを判定すると共に、他のエレベータバンクＢ〜Ｄの群管理制御装置１１Ｂ〜１１Ｄと接続した自他バンク判定処理部２７と、自己のエレベータバンクか他のエレベータバンクでサービスしている階床に関するデータや表示に関するデータなどのテーブルを格納した記憶部２８と、この記憶部２８内の表示データを取り出して表示のために処理を行う表示処理部２９と、これらの各部を制御する制御部３０とを有している。以下において、エレベータバンクＡ以外の群管理制御装置１１Ｂ〜１１Ｄに言及する場合、同一符号にそれぞれのエレベータバンクＢ〜Ｄに対応するアルファベットを付けて同等物として説明する。
【００２２】
今、９階に行くことを目的とした乗客が１階に設置したエレベータバンクＡの行き先階予約装置７Ａの前に来て、その画面における行き先階入力部１３の釦のうち「９」を押した場合の行き先階登録処理を、図７に示したフローチャートを用いながら説明する。
【００２３】
先ず、エレベータバンクＡの群管理制御装置１１Ａは、行き先階予約装置７Ａが操作されたことをステップＳ１で検出すると、ステップＳ２では自他バンク判定処理部２７は自他バンク判定処理を行い、その行き先階予約が自己のエレベータバンクＡがサービスを行っている階床かどうかを判定する。この自他バンク判定処理部２７では、行き先階入力部１３の入力が「９」なので自己のエレベータバンクＡがサービスを行っている階床と判定する。その後、群管理制御装置１１Ａの割り当て登録部２５は、ステップＳ３で自己が管理しているエレベータ号機１Ａ〜６Ａの中から最初に１階に到着する５号機のエレベータ５Ａを割り当て登録する。
【００２４】
その後、群管理制御装置１１Ａは、ステップＳ４で記憶部２８から割り当てたエレベータ号機などのデータや対応する表示データを取り出し、表示処理部２９を通して各データを行き先階予約装置７Ａに送り表示を行う。この表示処理は、図３に示したように表示部１７には割り当てられたエレベータ号機が「５Ａ」であることを表示し、またマップ部１６には、乗客が操作した行き先階予約装置７の位置を強調などした「現在位置」１４と、割り当てられたエレベータ５Ａの位置を強調などした「乗車いただくエレベータ」１５とを表示する。乗客は、これらの行き先階予約装置７Ａの表示を見て、ふさわしい位置へ移動し、到着したエレベータ号機５Ａに乗り込むと、既に登録されている行き先階へと移動することができる。
【００２５】
図５は、他の状況における行き先階予約装置７Ａの画面を示す正面図であり、乗客が操作した行き先階予約装置７Ａが自己のエレベータバンクＡ内ではなく、他のエレベータバンク内がサービスしている階床を予約登録した場合を示している。例えば、１３階に行くことを目的とした乗客が１階に設置されているエレベータバンクＡの行き先階予約装置７Ａの前に来て、その画面の行き先階入力部１３の釦で「１」と「３」を押した場合の行き先階登録処理を、同じ図７に示したフローチャートを用いながら説明する。
【００２６】
このとき、エレベータバンクＡの群管理制御装置１１Ａは、行き先階予約装置７Ａが操作されたことをステップＳ１で検出すると、ステップＳ２では自他バンク判定処理部２７によって自他バンク判定処理を行い、その行き先階予約が自己のエレベータバンクＡがサービスを行っている階床かどうかを判定する。このとき自他バンク判定処理部２７では、行き先階入力部１３の入力が「１３」なので記憶部２８内に格納されたテーブルを参照してエレベータバンクＢがサービスを行っている階床と判定し、ステップＳ５へ進み、エレベータバンクＢの群管理制御装置１１Ｂが登録処理を引き継ぐ。その後群管理制御装置１１Ａは、ステップＳ６で群管理制御装置１１Ｂからの信号待ち状態となる。
【００２７】
一方、引き継いだ群管理制御装置１１Ｂは、図８に示すようにステップＳ７で自他バンク判定処理部２７Ｂによって引き継ぎ処理と判定し、ステップＳ８で行き先階予約情報を取得し、ステップＳ９で引き継ぎ割り当て登録部２６Ｂによって割り当て登録処理を行い、自己のエレベータバンクＢ内のエレベータ号機１Ｂ〜Ｂ６の中から、後述する予約条件を満たすエレベータ号機を割り当て登録する。
【００２８】
このときの予約条件とは、エレベータバンクＢのエレベータ号機１Ｂ〜６Ｂのうち、行き先階予約装置７Ａを操作した乗客がマップ部１６および表示部１７の表示を見た後、そこからエレベータバンクＢの割り当てられたエレベータ号機の所に移動するまでに要する時間を予め想定した移動予測時間βと、予約したエレベータ号機が１階に到着するまでの到着予測時間αとを比較し、移動予測時間βよりも到着予測時間αが長く、かつ、最初に到着することである。
【００２９】
例えば、図１に示したエレベータバンクＢでは、エレベータ号機２Ｂが一番先に１階に到着するが、１階に到着するまでに要する到着予測時間αは３０秒であり、またエレベータ１Ｂが二番目に１階に到着するが、１階に到着するまでに要する到着予測時間αは５５秒であるとする。これに対して、エレベータバンクＡの行き先階予約装置７Ａを操作した乗客がエレベータバンクＢのエレベータ１Ｂ，２Ｂの所に移動するまでに要する移動予測時間βは共に５０秒だとする。すると、群管理制御装置１１Ｂの引き継ぎ割り当て登録部２６Ｂは、上述した予約条件を満足するエレベータ１Ｂを割り当て登録し、ステップＳ１０で結果情報を群管理制御装置１１Ａへ送信して処理を終了する。
【００３０】
群管理制御装置１１Ａは、ステップＳ１０で群管理制御装置１１Ｂから受けた結果情報を取得し、ステップＳ４で割り当てられたエレベータ号機などのデータや対応するデータを記憶部２８から取り出し、表示処理部２９を通してエレベータバンクＡの行き先階予約装置７Ａに表示する。つまり、図５に示すように表示部１７に割り当てたエレベータ号機が「１Ｂ」であることを表示し、またマップ部１６には、乗客が操作した行き先階予約装置７Ａの位置を強調などした「現在位置」１４と、割り当てられたエレベータ号機１Ｂの位置も強調などした「乗車いただくエレベータ」１５とを表示する。これを見た乗客は、表示部１７の表示「１Ｂ」と、マップ部１６の「乗車いただくエレベータ」１５と、「現在位置」１４との位置関係を確認しながら、エレベータ号機１Ｂの乗り場へと移動する。その後、所定の位置で待機し、到着したエレベータ号機１Ｂに乗り込むと、既に登録されている行き先階へと移動することができる。
【００３１】
ところで、行き先階予約装置７Ａには、車椅子利用者が行き先階登録を行う場合、行き先階を指定した前後に押下される車椅子ボタン１８が設けられている。この車椅子ボタン１８が押下されると、自他バンク判定処理部２７は、図７に示したステップＳ２で自他バンク判定処理を行い、行き先階のサービスを行っているのがエレベータバンクＤであると判定するが、ステップＳ２３で車椅子ボタン１８を操作したことを検出するので、ステップＳ２４に進んで割り当て処理を中止する。このため、他の郡管理制御装置１１Ｂ〜１１Ｄへの引き継ぎを行わない。
【００３２】
その後、ステップＳ２５で自他バンク判定処理部２７は、割り当て中止に対応するデータを記憶部２８から取り出し、表示処理部２９によって図６に示すように表示処理を行う。つまり、行き先階に応じたエレベータバンクＤへ移動しその行き先階予約装置７Ｄ〜１０Ｄで改めて行き先階を登録するように促す表示処理を行い、例えば、図６に示した行き先階予約装置７Ａの表示部１７のように「お手数ですが右に示す位置で再登録ください」のメッセージを表示し、マップ部１６には乗客の目的階に停止するエレベータが属するエレベータバンクＤと、このエレベータバンクＤの行き先階予約装置７Ｄ〜１０Ｄを判別できるように強調してエリア１９のように表示する。
【００３３】
行き先階予約装置７Ａの表示部１７をみた車椅子利用者は、エレベータバンクＤの行き先階予約装置７Ｄ〜１０Ｄまで移動することになるが、車椅子利用者の場合、定常状態での移動でも、図８で説明した移動予測時間βの予測が難しいので、割り当て処理を中止することによってトラブル発生を未然に防ぎながら、適切な位置へと誘導することができる。ただし、行き先階予約装置７Ａから予約操作した行き先階がエレベータバンクＡがサービスする階床であるときは、通常と同様に割り当て登録部２５で割り当て登録したり、割り当て登録部２５で車椅子ボタン１８の押下信号を取り入れ、図８で説明した移動予測時間βを車椅子利用者用としての多少長い時間に変更して割り当て登録したりすることができる。
【００３４】
このようなエレベータ装置によれば、複数のエレベータバンクＡ〜Ｄの群管理制御装置１１Ａ〜１１Ｄを接続し、エレベータバンクＡの行き先階予約装置７Ａから他のエレベータバンクＢで管理する行き先階を予約操作するとき、自他バンク判定処理部２７によって群管理制御装置１１Ａと群管理制御装置１１Ｂが協同するように構成したため、乗客が行き先階に対応するエレベータバンクＢまで行かなくても、近くの先階予約装置から行き先階予約操作を行うことができ、また群管理制御装置１１Ａから群管理制御装置１１Ｂを介して行き先階予約を行うことができ、従来のようにエラーメッセージが表示されて乗客が戸惑う状況はなくなり、利便性を向上することができる。
【００３５】
また、予約操作した行き先階予約装置７Ａが属する群管理制御装置１１Ａの自他バンク判定処理部２７で自己エレベータバンクの管理する行き先階予約操作かどうかを判定し、他のエレベータバンクの管理する行き先階の場合は、その群管理制御装置に引き継いでその引き継ぎ割り当て登録部２６で割り当て登録処理を行い、その後、その結果を受けて予約操作した行き先階予約装置７Ａに結果情報や関連情報を表示する処理を行うようにしたため、サービスしている行き先階とは直接関係のないエレベータバンクＡ〜Ｄの先階予約装置からでも行き先階予約操作を行うことができる。
【００３６】
また、上述したようにその群管理制御装置に引き継いで予約登録を行うようにした他のエレベータバンクの群管理制御装置の引き継ぎ割り当て登録部２６は、予約したエレベータ号機が操作階に到着するまでの到着予測時間αと、他のエレベータバンクの割り当てられたエレベータ号機の所に移動するまでに要する時間を予め想定した移動予測時間βとを比較し、移動予測時間βよりも到着予測時間αが長く、かつ、最初に到着するエレベータ号機を割り当てる割り当て処理を行うようにしたため、他のエレベータバンクへ移動しなければならない場合でも、登録したエレベータ号機以外のものを利用する事態を防止しながら、その移動予測時間を考慮して都合の良いエレベータ号機に割り当て登録することができる。
【００３７】
さらに、行き先階予約装置７Ａ〜１０Ａには、行き先階入力部１３と、現在位置１４や割り当てられたエレベータバンクやエレベータ号機の位置１５などを表示するマップ部１６と、割り当てられたエレベータ号機などを表示する表示部１７とを構成したため、近くに位置するエレベータ号機が割り当てられた場合は勿論、他のエレベータバンクであっても、マップ部１６や表示部１７を見て確認した後に移動することができ、乗客に不安を抱かせることなくスムーズな移動を促すことができる。
【００３８】
図６は、本発明のさらに他の実施の形態によるエレベータ装置における行き先階予約装置７Ａを示す正面図であり、先の実施の形態における同等物には同一符号を付けて詳細な説明を省略している。ここでは、３３階に行くことを目的とした乗客が１階に設置したエレベータバンクＡの行き先階予約装置７Ａの前に来て、その画面の行き先階入力部１３の釦で「３」と「３」を押し、３３階を指定した場合を示している。
【００３９】
このとき、行き先階予約装置７Ａを直接管理しているエレベータバンクＡの群管理制御装置１１Ａは、図７にフローチャートに従って先の実施の形態の場合と同様に、ステップＳ１で乗客が行き先階予約装置７Ａを操作したとき作動し、自他バンク判定処理部２７は、ステップＳ２でそのときの行き先階である３３階のために利用できるエレベータバンクを判定し、ステップＳ５でエレベータバンクＤの群管理制御装置１１Ｄに引き継ぐ。
【００４０】
群管理制御装置１１Ａから通知を受けた群管理制御装置１１Ｄは、図９に示すフローチャートに従って処理を継続する。先ず、群管理制御装置１１Ｄの自他バンク判定処理部２７Ｄは、ステップＳ１１で自己が管理するエレベータバンクＤではなく他のエレベータバンクからの行き先階予約と判定し、ステップＳ１２で行き先階予約情報などを取得し、ステップＳ１３で引き継ぎ割り当て登録部２６ＤによってエレベータバンクＤの６台のエレベータ号機１Ｄ〜６Ｄの中から、後述する割り当て候補条件を満たすエレベータ号機を割り当て候補として決定する。
【００４１】
ここでの引き継ぎ割り当て登録部２６Ｄによる割り当て候補条件は、ステップＳ１３で判定する。つまり、図６に示した行き先階予約装置７Ａを操作した乗客がマップ部１６および表示部１７の表示を見た後、そこからエレベータバンクＤの割り当てられたエレベータ号機の所に移動するまでに要する時間を予め想定した移動予測時間βと、予約したエレベータ号機が１階に到着するまでの到着予測時間αとを比較し、移動予測時間βよりも到着予測時間αが長く、かつ、最初に到着することである。
【００４２】
次のステップＳ１４で引き継ぎ割り当て登録部２６Ｄは、上述の割り当て候補条件を満たした場合でも、割り当て中止判定処理を行う。ここでの割り当て中止判定処理は、上述の移動予測時間βの想定できる範囲の変動幅を考慮し、割り当て候補となったエレベータ号機を管理するエレベータバンクＤで、β１≦β≦β２の間に１階乗り場に到着する他のエレベータ号機があるかどうかを判定する。β１は比較的早く移動して到着するときの移動予測時間であり、β２は比較的ゆっくりと移動したときの移動予測時間である。
【００４３】
この割り当て中止判定処理で、取り消し条件に該当するエレベータ号機がない場合、引き継ぎ割り当て登録部２６ＤはステップＳ１５で先の割り当て候補を割り当てエレベータ号機として決定して登録し、ステップＳ１６で自他バンク判定処理部２７Ｄを通して引き継ぎ元の行き先階予約装置７Ａへの結果情報を送信する。この場合は図６に示した実施の形態の場合と同様に群管理制御装置１１Ａは、ステップＳ６で群管理制御装置１１Ｄの自己バンク判定処理部２７Ｄから受けた結果情報を取得し、ステップＳ４で割り当てられたエレベータ号機などの情報をエレベータバンクＡの行き先階予約装置７Ａに表示する。つまり、図５の場合と同様に表示部１７に割り当てたエレベータ号機を表示し、またマップ部１６には、乗客が操作した行き先階予約装置７Ａの位置を強調などした「現在位置」１４と、割り当てられたエレベータ号機の位置も強調などした「乗車いただくエレベータ」１５とを表示する。
【００４４】
しかしながら、引き継ぎ割り当て登録部２６ＤにおけるステップＳ１４の割り当て中止判定処理で、割り当て取り消し条件となった場合、ステップＳ１７で割り当て候補を取り消し、ステップＳ１８で結果情報を群管理制御装置７Ａに送信する。このときの結果情報に基づく行き先階予約装置７Ａへの表示処理は先の実施の形態の場合と異なっている。表示処理部２９を通して表示情報を受けた群管理制御装置７Ａは、エレベータバンクＤの行き先階予約装置７Ｄ〜１０Ｄで改めて行き先階を再登録するように促す。例えば、図６の表示部１７に示すように「お手数ですが右に示す位置で再登録ください」のメッセージを表示し、マップ部１６には乗客の目的階に停止するエレベータが属するエレベータバンクＤと、このエレベータバンクＤの行き先階予約装置７Ｄ〜１０Ｄを判別できるように強調してエリア１９のように表示する。
【００４５】
このとき、乗客は操作した行き先階予約装置７Ａにおけるマップ部１６および表示部１７の表示を見た後、エレベータバンクＤの乗り場へと移動することになる。しかし、先の実施の形態の場合のように、割り当て候補のエレベータ号機は指定されていないため、行き先階予約装置７Ａから割り当て候補のエレベータ号機の出入り口まで移動するのに要する移動予測時間βとは無関係に、エレベータバンクＤの行き先階予約装置７Ｄ〜１０Ｄの内のいずれかを再度操作することになる。
【００４６】
やがて、行き先階予約装置７Ｄ〜１０Ｄのいずれかが操作された時点で、群管理制御装置１１Ｄの自他バンク判定処理部２７Ｄは自己エレベータバンクＤ内の登録と判定し、割り当て登録部２５Ｄによって自己が管理するエレベータ号機１Ｄ〜６Ｄの中から最初に１階に到着するエレベータ号機を割り当て登録する。このとき再指定のために使用した行き先階予約装置７Ｄ〜１０Ｄには、先の実施の形態の場合と同様に割り当てられたエレベータがどの号機であるかを表示部１７に表示し、マップ部１６には乗客の現在位置および割り当てられたエレベータ号機５Ａの位置を強調して表示する。
【００４７】
この実施の形態によるエレベータ装置では、引き継ぎ割り当て登録部２６ＤがステップＳ１４で行う割り当て中止判定処理で、割り当て取り消し条件を満たすものがあるときには割り当て候補を取り消すため、図５に示した実施の形態の場合に比べて、一層信頼性を高めたサービスを提供することができる。図５に示した実施の形態の場合、割り当て候補のエレベータがエレベータバンクＤの中で一番先に１階に到着するエレベータ号機ではない場合がある。つまり、行き先階予約装置７Ａから割り当て候補のエレベータの出入り口まで移動するのに要する移動予測時間βとした場合よりも早く、乗客がエレベータバンクＤのロビーに到着してしまうことがある。このとき、誤って先に到着したエレベータ号機に乗車してしまうと、先に到着したエレベータに自分が登録した停止階が登録されていないため、それに不満をもったりすることが考えられる。
【００４８】
しかしながら、引き継ぎ割り当て登録部２６Ｄは、ステップＳ１４で割り当て取り消し条件を使用した割り当て中止判定処理を行っているため、行き先階予約装置７Ａから割り当て候補のエレベータ号機の出入り口まで移動するのに要する移動予測時間βとの誤差によって発生するかも知れない問題を解消することができる。
【００４９】
尚、図９に示したフローチャートにおけるステップＳ１４の判定処理では、行き先階予約装置７Ａから割り当て候補のエレベータの出入り口まで移動するのに要する移動予測時間βの変動範囲を考慮し、β１≦β≦β２の間に１階の乗り場に到着する他のエレベータ号機があるかどうかを判定している。これは、乗客が操作した行き先階予約装置７Ａから離れた位置のエレベータバンクＤへ移動するとき、移動予測時間βの変動が特に大きいからである。そこで、ステップＳ１４の割り当て中止判定処理として、行き先階予約を引き継いだ群管理制御装置が乗客によって操作された先階予約装置７Ａから離れた位置のエレベータバンクかどうかを判断し、離れているときはステップＳ１７に進み、離れていない場合はステップＳ１５に進むようにしてもほぼ同様の効果を得ることができる。
【００５０】
図１０は、本発明のさらに異なる実施の形態によるエレベータ群管理制御装置における行き先階登録処理を示すフローチャートである。ここでは、ステップＳ１９で乗客が行き先階予約装置７Ａで操作したことを検出したときに処理を開始し、ステップＳ２０で自他バンク判定処理部２７で自他バンク判定処理を行い、その指定された階床が行き先階予約装置７Ａが属するエレベータバンクＡでサービスしている階床かどうかを判定する。この判定の結果、操作した行き先階予約装置７Ａが属するエレベータバンクＡでサービスしている階床の場合、ステップＳ２１で割り当て登録部２５により割り当て処理を行い、群管理制御装置１１Ａは自己の管理しているエレベータ号機の中で最初に１階に到着する号機を割り当て登録する。その後、ステップＳ２２で表示処理部２９による表示処理を行い、行き先階予約装置７Ａへ割り当てられたエレベータ号機などの情報を表示する。このときの行き先階予約装置７Ａへの表示は、先に説明した図３と同様である。
【００５１】
一方、ステップＳ２０の自他バンク判定処理部２７による判定処理で、他のエレベータバンクＢ〜Ｄがサービスしている階床と判定した場合、自他バンク判定処理部２７はステップＳ２３でその後の割り当て処理を行わず、該当する他のエレベータバンクへ移動して再度、行き先階登録を行うように促す表示処理を行う。例えば、入力された行き先階が３３階であれば、先に説明した図６の表示部１７に示すように「お手数ですが右に示す位置で再登録ください」のメッセージを表示し、マップ部１６には乗客の目的階に停止するエレベータが属するエレベータバンクＤと、このエレベータバンクＤの行き先階予約装置７Ｄ〜１０Ｄを判別できるように強調してエリア１９のように表示する。
【００５２】
本実施の形態によるエレベータ装置では、自他バンク判定処理部２７での自他バンク判定処理によって操作した行き先階予約装置７Ａが属するエレベータバンクＡではなく他のエレベータバンクにおけるサービス階床と判定されたとき、該当するエレベータバンクにおけるエレベータ号機の割り当て処理は行わず、図８に示したように該当するエレベータバンクの行き先階予約装置で改めて行き先階を登録するように促す表示処理を行うようにしたため、行き先階予約装置としては上述した各実施の形態の場合と同様に構成し、表示部１７およびマップ部からの表示情報によって乗客の移動を助けることができる。しかも、図２に示した通信ケーブル１２や図４に示した引き継ぎ割り当て登録部２６を省略しても、どのエレベータバンクの行き先階予約装置から行き先階の予約操作を行っても、従来のようにエラ−メッセージを表示するのみではなく、適切な位置へ乗客を案内することができる。
【００５３】
図１１は本発明のさらに異なる実施の形態によるエレベータ装置を採用したエレベータホールの平面図であり、図１に示した実施の形態との同等物には同一符号を付け詳細な説明を省略する。エレベータバンクＡは、対面配置したエレベータ号機１Ａ〜３Ａとエレベータ号機４Ａ〜６Ａとを有し、各エレベータ号機１Ａ〜６Ａの各出入り口の中間部に行き先階予約装置７Ａ〜１０Ａが配置されているだけでなく、エレベータバンクＡのホール入り口の所に新たに追加した行き先階予約装置２０が配置されている。追加した行き先階予約装置２０は、図３で説明した行き先階予約装置７Ａと同様に構成されており、その操作によって行き先階の予約を行うことができ、その結果を同様に表示する機能を有している。エレベータバンクＢ〜Ｄも同様の構成で、それぞれのエレベータホールへの入り口に新たな行き先階予約装置２１〜２３が追加されている。
【００５４】
各行き先階予約装置２０〜２３は、それぞれのエレベータバンクＡ〜Ｄの利用者がエレベータホールへ進むとき、利用者が最初に行き先階登録のために使用可能な位置に設置されている。例えば、利用者が行き先階を予約するためにエレベータホールに近づくとき、先ず、その入り口に設置した行き先階予約装置２０〜２３が使用可能である。
【００５５】
そこで利用者は、この行き先階予約装置２０〜２３のいずれかを使用して図３の場合と同様に行き先階を入力した後は、先の各実施の形態で説明した処理を行い、その結果を表示する。
【００５６】
表示結果を見た利用者は、エレベータホールに入る前に操作した行き先階予約装置２０〜２３の設置位置から、どのエレベータ号機またはどのエレベータバンクへと移動すればよいのかが分かるので、最も良いと思えるコースを通って移動することができ、より利便性を向上させることができる。
【００５７】
尚、上述した各実施の形態では、エレベータバンクＡの行き先階予約装置７Ａから行き先階予約を行う場合について説明したが、他のエレベータバンクの行き先階予約装置から行き先階予約を行う場合も同様である。また上述した各実施の形態では、４つのエレベータバンクＡ〜Ｄの群管理制御装置１１Ａ〜１１Ｄの全てを通信ケーブル１２によって接続したが、４つのエレベータバンクＡ〜Ｄのうち少なくとも２つのエレベータバンクの群管理制御装置間を通信ケーブル１２によって接続し、接続した群管理制御装置間で協同して行き先階の予約を行うようにしても、ほぼ同様の効果を得ることができる。さらに、行き先階の予約操作を行う行き先階予約装置７Ａ〜１０Ａなどの表示部１７およびマップ部１６の具体的な表示は様々な形式を採ることができる。
【符号の説明】
【００５８】
Ａ〜Ｄ  エレベータバンク
１Ａ〜６Ａ    エレベータ号機
７Ａ〜１０Ａ  行き先階予約装置
１１Ａ〜１１Ｄ  群管理制御装置
１２  通信ケーブル
１３  行き先階入力部
１４  現在位置
１５  位置
１６  マップ部
１７  表示部
１８  車椅子ボタン
１９  エリア
２０〜２４  行き先階予約装置
２５  割り当て登録部
２６  引き継ぎ割り当て登録部
２７  自他バンク判定処理部
２８  記憶部
２９  表示処理部
３０  制御部
【図１】
0005723228.tif 000002
【図２】
0005723228.tif 000003
【図３】
0005723228.tif 000004
【図４】
0005723228.tif 000005
【図５】
0005723228.tif 000006
【図６】
0005723228.tif 000007
【図７】
0005723228.tif 000008
【図８】
0005723228.tif 000009
【図９】
0005723228.tif 000010
【図１０】
0005723228.tif 000011
【図１１】
0005723228.tif 000012